(57)【特許請求の範囲】
【請求項１】
導通部材に接続される導通部と、この導通部と一体に設けられ相手端子が挿入されて導通される接続部とを備えたコネクタ端子であって、
前記接続部は、対向配置され互いの対向面間に前記相手端子が挿入される挿入部が設けられた一対の平面板部と、この一対の平面板部に複数設けられ前記相手端子に弾性接触して導通される接触部と、前記一対の平面板部に設けられ前記挿入部に前記相手端子が挿入されたときに前記一対の平面板部が離間する方向へ移動することを規制する支持部とを有し、
前記支持部は、前記一対の平面板部の中央部に設けられ、前記接触部は、前記支持部の周囲に設けられ、
前記挿入部は、少なくとも前記導通部側以外のすべての範囲に位置する前記一対の平面板部の対向面間に開口されていることを特徴とするコネクタ端子。
【請求項２】
請求項１記載のコネクタ端子であって、
前記接触部は、基端が前記支持部の近傍に前記一対の平面板部と連続する一部材で形成
されていることを特徴とするコネクタ端子。
【請求項３】
請求項１又は２記載のコネクタ端子であって、
前記導通部と前記接続部とは、１枚の板材からなることを特徴とするコネクタ端子。
【請求項４】
請求項１乃至３のいずれか１項に記載のコネクタ端子の前記挿入部に挿入されるタブ状の接続部を有する相手端子を備えたコネクタ端子と相手端子との接続構造であって、
前記コネクタ端子の前記支持部は、前記一対の平面板部のうち一方の平面板部から他方の平面板部に向けて突設された係合凸部と、他方の平面板部に設けられ前記係合凸部が係合される係合凹部とを有し、
前記相手端子の前記タブ状の接続部には、前記挿入部に挿入されたときに前記係合凸部が挿入されるスリットが設けられていることを特徴とするコネクタ端子と相手端子との接続構造。
【発明の詳細な説明】
【技術分野】
【０００１】
本発明は、コネクタ端子に関する。
【背景技術】
【０００２】
従来、コネクタ端子としては、導通部材に接続される導通部としての圧着延長部と、この圧着延長部と一体に設けられ相手端子が挿入されて導通される接続部としてのコネクタ収容部材とを備えたものが知られている（例えば、特許文献１参照）。
【０００３】
このコネクタ端子では、コネクタ収容部材内に、対向配置された平板状の一対の接触薄片体と、この一対の接触薄片体に設けられ相手端子に弾性接触して導通される多数の接触薄片とを有する接触積層差込部材が収容されている。
【０００４】
このようなコネクタ端子では、コネクタ収容部材に対して相手端子を挿入させる挿入部が３箇所設けられており、いずれの挿入部に相手端子を挿入させても相手端子とコネクタ端子とを導通させることができる。
【先行技術文献】
【特許文献】
【０００５】
【特許文献１】特表２００７−５３１２２４号公報
【発明の概要】
【発明が解決しようとする課題】
【０００６】
ところで、上記特許文献１のようなコネクタ端子では、接触積層差込部材の一対の接触薄片体間に相手端子が挿入されたときに、コネクタ収容部材によって一対の接触薄片体が離間する方向へ移動することを規制している。このコネクタ収容部材は、４隅が連結部によって連結された筐体形状をなしている。
【０００７】
しかしながら、上記特許文献１のようなコネクタ端子では、接続部としての接触積層差込部材を収容するコネクタ収容部材の４隅が連結部によって連結されているので、相手端子が挿入される挿入部の挿入方向が３方向に限定されてしまっていた。
【０００８】
そこで、この発明は、相手端子の挿入部への挿入方向を多方向とすることができるコネクタ端子及びこのコネクタ端子と相手端子との接続構造の提供を目的としている。
【課題を解決するための手段】
【０００９】
請求項１記載の発明は、導通部材に接続される導通部と、この導通部と一体に設けられ相手端子が挿入されて導通される接続部とを備えたコネクタ端子であって、前記接続部は、対向配置され互いの対向面間に前記相手端子が挿入される挿入部が設けられた一対の平面板部と、この一対の平面板部に複数設けられ前記相手端子に弾性接触して導通される接触部と、前記一対の平面板部に設けられ前記挿入部に前記相手端子が挿入されたときに前記一対の平面板部が離間する方向へ移動することを規制する支持部とを有し、前記支持部は、前記一対の平面板部の中央部に設けられ、前記接触部は、前記支持部の周囲に設けられ、前記挿入部は、少なくとも前記導通部側以外のすべての範囲に位置する前記一対の平面板部の対向面間に開口されていることを特徴とする。
【００１０】
このコネクタ端子では、支持部が一対の平面板部の中央部に設けられ、接触部が支持部の周囲に設けられているので、一対の平面板部の互いの対向面間に設けられた挿入部をすべての方向に位置させることができ、相手端子をいずれの方向からもコネクタ端子に導通させることができる。
【００１１】
従って、このようなコネクタ端子では、相手端子の挿入部への挿入方向を限定することがなく、相手端子の挿入部への挿入方向を多方向とすることができる。
【００１２】
請求項２記載の発明は、請求項１記載のコネクタ端子であって、前記接触部は、基端が前記支持部の近傍に前記一対の平面板部と連続する一部材で形成されていることを特徴とする。
【００１３】
このコネクタ端子では、接触部の基端が支持部の近傍に一対の平面板部と連続する一部材で形成されているので、接触部と相手端子との接触による接触部の応力を支持部によって受けることができ、一対の平面板部の変形を防止して接触信頼性を向上することができる。
【００１４】
請求項３記載の発明は、請求項１又は２記載のコネクタ端子であって、前記導通部と前記接続部とは、１枚の板材からなることを特徴とする。
【００１５】
このコネクタ端子では、導通部と接続部とが１枚の板材からなるので、導通部と接続部とを別体で設ける必要がなく、部品点数を削減することができる。
【００１６】
請求項４記載の発明は、請求項１乃至３のいずれか１項に記載のコネクタ端子の前記挿入部に挿入されるタブ状の接続部を有する相手端子を備えたコネクタ端子と相手端子との接続構造であって、前記コネクタ端子の前記支持部は、前記一対の平面板部のうち一方の平面板部から他方の平面板部に向けて突設された係合凸部と、他方の平面板部に設けられ前記係合凸部が係合される係合凹部とを有し、前記相手端子の前記タブ状の接続部には、前記挿入部に挿入されたときに前記係合凸部が挿入されるスリットが設けられていることを特徴とする。
【００１７】
このコネクタ端子と相手端子との接続構造では、相手端子に挿入部に挿入されたときに係合凸部が挿入されるスリットが設けられているので、挿入部内における相手端子と係合凸部との干渉を防止して、挿入部のより深い位置に相手端子を挿入することができ、相手端子とコネクタ端子との導通信頼性を向上することができる。
【発明の効果】
【００１８】
本発明によれば、相手端子の挿入部への挿入方向を多方向とすることができる端子コネクタ及びこのコネクタ端子と相手端子との接続構造を提供することができるという効果を奏する。
【図面の簡単な説明】
【００１９】
【図１】本発明の実施の形態に係るコネクタ端子の斜視図である。
【図２】本発明の実施の形態に係るコネクタ端子の断面図である。
【図３】（ａ）は本発明の実施の形態に係るコネクタ端子の斜視図である。（ｂ）は本発明の実施の形態に係るコネクタ端子の展開図である。
【図４】（ａ）は本発明の実施の形態に係るコネクタ端子の上面図である。（ｂ）は本発明の実施の形態に係るコネクタ端子の下面図である。
【図５】（ａ）は本発明の実施の形態に係るコネクタ端子の左側面図である。（ｂ）は本発明の実施の形態に係るコネクタ端子の右側面図である。（ｃ）は図４（ｂ）のＸ−Ｘ断面図である。
【図６】（ａ）は本発明の実施の形態に係るコネクタ端子の相手端子の正面図である。（ｂ）は本発明の実施の形態に係るコネクタ端子の相手端子の側面図である。
【発明を実施するための形態】
【００２０】
図１〜図６を用いて本発明の実施の形態に係るコネクタ端子について説明する。
【００２１】
本実施の形態に係るコネクタ端子１は、導通部材（不図示）に接続される導通部３と、この導通部３と一体に設けられ相手端子５が挿入されて導通される接続部７とを備えている。
【００２２】
また、接続部７は、対向配置され互いの対向面間に相手端子５が挿入される挿入部９が設けられた一対の平面板部１１，１３と、この一対の平面板部１１，１３に複数設けられ相手端子５に弾性接触して導通される接触部１５と、一対の平面板部１１，１３に設けられ挿入部９に相手端子５が挿入されたときに一対の平面板部１１，１３が離間する方向へ移動することを規制する支持部１７とを有する。
【００２３】
そして、支持部１７は、一対の平面板部１１，１３の中央部に設けられ、接触部１５は、支持部１７の周囲に設けられている。
【００２４】
また、接触部１５は、基端が支持部１７の近傍に一対の平面板部１１，１３と連続する一部材で形成されている。
【００２５】
さらに、支持部１７は、一方の平面板部１１から他方の平面板部１３に向けて突設された係合凸部１９と、他方の平面板部１３に設けられ係合凸部１９が係合される係合凹部２１とを有し、相手端子５には、挿入部９に挿入されたときに係合凸部１９が挿入されるスリット２３が設けられている。
【００２６】
また、導通部３と接続部７とは、１枚の板材からなる。
【００２７】
図１〜図６に示すように、コネクタ端子１は、導電性材料の１枚の板材からなり、この１枚の板材に折り曲げ加工などを施すことによって、導通部３と接続部７とが形成されている。
【００２８】
導通部３は、一端側が電子部品の導通部や電線などの導通部材（不図示）に電気的に接続される。この導通部３の他端側には、接続部７が連続する一部材で形成されている。
【００２９】
接続部７は、一対の平面板部１１，１３と、複数の接触部１５と、支持部１７とを備えている。一対の平面板部１１，１３は、同一形状に形成され、連結部２５を介して連続する一部材で形成されている。また、一対の平面板部１１，１３は、連結部２５を折り曲げ加工することによって対向配置され、平面板部１１に形成された係合部２７を折り曲げ加工して平面板部１３の表面に係合させることにより一対の平面板部１１，１３が離間する方向へ移動することが規制される。
【００３０】
この一対の平面板部１１，１３の対向面間は、相手端子５が挿入される挿入部９となっている。この挿入部９に挿入された相手端子５は、一対の平面板部１１，１３にそれぞれ設けられた複数の接触部１５に弾性接触され、コネクタ端子１に電気的に接続される。
【００３１】
複数の接触部１５は、一対の平面板部１１，１３にそれぞれ複数（ここでは各平面板部に４つの計８つ）設けられている。この接触部１５は、一対の平面板部１１，１３を切り欠いて挿入部９側に折り曲げ加工されることにより、挿入部９に挿入された相手端子５に弾性接触可能に設けられている。このような複数の接触部１５は、それぞれの基端が支持部１７の近傍、詳細には周囲に一対の平面板部１１，１３と連続する一部材で形成されている。
【００３２】
支持部１７は、一対の平面板部１１，１３の中央部に設けられ、平面板部１１に形成された係合凸部１９と、平面板部１３に形成された係合凹部２１とからなる。
【００３３】
係合凸部１９は、平面板部１１の中央部を切り欠いて平面板部１３側に折り曲げ加工されることにより、係合凹部２１に向けて突設されている。この係合凸部１９は、係合凹部２１に挿入され、先端側が平面板部１３の表面に係合される。
【００３４】
係合凹部２１は、平面板部１３の中央部に設けられた四角形状の孔部となっている。この係合凹部２１に係合凸部１９を係合させることにより、挿入部９に相手端子５が挿入されたときに、一対の平面板部１１，１３が離間する方向へ移動することが規制される。
【００３５】
このような支持部１７の周囲に複数の接触部１５の基端を設けることにより、図２の矢印で示すように、それぞれの接触部１５の自由端側が相手端子５と接触したときに、基端側に応力が集中するが、基端側には支持部１７が設けられているので、反力に対する強靱性が増しており、一対の平面板部１１，１３の変形が防止される。
【００３６】
このように接触部１５のバネ反力の入力部（力点）と出力部（作用点）とを同箇所に設けることにより、接触部１５と相手端子５との接触による接触部１５の応力を分散させる必要がなく、一対の平面板部１１，１３を収容させるような部材を必要とすることがない。加えて、部品点数を削減しても、バネ反力に対する強靱性を増すことができ、一対の平面板部１１，１３の変形を防止することができる。
【００３７】
このようなに構成されたコネクタ端子１の挿入部９には、タブ状の接続部を有する雄型の相手端子５が挿入される。この挿入部９は、図１の矢印で示すように、導通部３側以外の180度の範囲内で相手端子５がどこでも挿入可能となっている。また、相手端子５には、挿入部９に挿入されたときに支持部１７の係合凸部１９が挿入されるスリット２３が設けられている。このため、相手端子５を挿入部９のどの位置から挿入しても、相手端子５と係合凸部１９との干渉が防止され、挿入部９のより深い位置に相手端子５を挿入することができる。
【００３８】
なお、支持部１７は、一対の平面板部１１，１３の中央部に設けられているので、支持部１７のみで一対の平面板部１１，１３を支持することが可能であれば、連結部２５と係合部２７とを廃止でき、挿入部９に対して相手端子５を360度すべての範囲で挿入可能とすることができる。
【００３９】
このようなコネクタ端子１では、支持部１７が一対の平面板部１１，１３の中央部に設けられ、接触部１５が支持部１７の周囲に設けられているので、一対の平面板部１１，１３の互いの対向面間に設けられた挿入部９をすべての方向に位置させることができ、相手端子５をいずれの方向からもコネクタ端子１に導通させることができる。
【００４０】
従って、このようなコネクタ端子１では、相手端子５の挿入部への挿入方向を限定することがなく、相手端子５の挿入部９への挿入方向を多方向とすることができる。
【００４１】
また、接触部１５の基端は、支持部１７の近傍に一対の平面板部１１，１３と連続する一部材で形成されているので、接触部１５と相手端子５との接触による接触部１５の応力を支持部１７によって受けることができ、一対の平面板部１１，１３の変形を防止して接触信頼性を向上することができる。
【００４２】
さらに、相手端子５には、挿入部９に挿入されたときに係合凸部１９が挿入されるスリット２３が設けられているので、挿入部９内における相手端子５と係合凸部１９との干渉を防止して、挿入部９のより深い位置に相手端子５を挿入することができ、相手端子５とコネクタ端子１との導通信頼性を向上することができる。
【００４３】
また、導通部３と接続部７とは、１枚の板材からなるので、導通部３と接続部７とを別体で設ける必要がなく、部品点数を削減することができる。
【００４４】
なお、本発明の実施の形態に係るコネクタ端子では、導通部と一対の平面板部とが連続する一部材で形成されているが、これに限らず、例えば、導通部と一対の平面板部とを別体で形成させ、導通部に一対の平面板部を収容する収容部材を設けてもよい。
【００４５】
この場合には、一対の平面板部が支持部によって離間する方向へ移動することが規制されているので、収容部材の４つの隅部のうち少なくとも２つを削減することができる。このような収容部材に一対の平面板部を収容することにより、180度程度の範囲内で相手端子を挿入部にどの方向からも挿入させることができる。
【００４６】
また、複数の接触部は、１つの平面板部に対して４つ設けられているが、これに限らず、支持部の周囲に設けられていれば、接触部を４つ以上、或いは４つ以下としてもよい。
【符号の説明】
【００４７】
１…コネクタ端子
３…導通部
５…相手端子
７…接続部
９…挿入部
１１，１３…一対の平面板部
１５…接触部
１７…支持部
１９…係合凸部
２１…係合凹部
２３…スリット
【図１】
0005872970.tif 000002
【図２】
0005872970.tif 000003
【図３】
0005872970.tif 000004
【図４】
0005872970.tif 000005
【図５】
0005872970.tif 000006
【図６】
0005872970.tif 000007